(57)【要約】      （修正有）【課題】電源コンバータ及び交換可能型のアダプタ部品を有する、商用電源の電圧を別の電圧に変換できる電源供給器を提供する。【解決手段】ケース１１と導電ソケット１２と給電ソケット１４と電源変換回路１６とを有する。ケース１１は係止側壁１１１とソケット側壁１１２とを有し、ソケット側壁１１２が係止側壁１１１と略垂直となり窪み形状の収容部１１０を共同で形成し、係止側壁１１１に係止台座１３が突出し、ソケット側壁１１２にソケット孔１１２０が形成され、導電ソケット１２がソケット孔１１２０内に設けられる。電源変換回路１６はケース１１内に設けられるとともに、導電ソケット１２及び給電ソケットに接続されることにより、変換電源を給電ソケットに出力する。アダプタ部品２、２’は収容部１１０に交換可能に設けられ、電源に接続される導電ピンユニット２４、２４’を有する上カバー２１ａと、他方側に出力プラグ２２が設けられている下カバー２１ｂとを備える。【選択図】図１
0003215377.tif 000002
【実用新案登録請求の範囲】
【請求項１】
電源コンバータとアダプタ部品を備え、
前記電源コンバータは、
係止台座が突出するように形成される係止側壁と、ソケット孔が形成され、前記係止側壁と略垂直となると共に共同で窪み形状の収容部を形成するソケット側壁と、を有するケースと、
前記ソケット孔内に設けられる導電ソケットと、
給電ソケットと、
前記ケース内に設けられるとともに、前記導電ソケット及び前記給電ソケットに接続されることにより、変換電源を前記給電ソケットに出力する電源変換回路とを備え、
前記アダプタ部品は、
電源に接続される導電ピンユニットを有する上カバーと、
前記係止台座が係止される係止溝が一方側に形成されており、前記導電ピンユニットと電気的に接続されると共に前記導電ソケットに挿設される出力プラグが他方側に設けられている下カバーと、
を備えて前記収容部に交換可能に設けられることを特徴とする、電源供給器。
【請求項２】
前記係止台座は、前記係止側壁に形成されるとともに前記ソケット側壁に延伸する係止基部と、前記係止基部の頂部に形成され幅が前記係止基部の幅よりも大きいである係止頂部とを有することを特徴とする、請求項１に記載の電源供給器。
【請求項３】
前記係止溝は、前記下カバーの側面から内へ窪み前記係止基部が前記外溝に係入される外溝と、前記外溝の内側に位置され前記係止頂部が係入される内溝とを有することを特徴とする、請求項２に記載の電源供給器。
【請求項４】
前記係止台座は、長さが前記出力プラグの長さよりも大きく、前記係止溝に係入される過程において前記出力プラグを前記導電ソケットに挿着するようにガイドすることを特徴とする、請求項１に記載の電源供給器。
【請求項５】
前記アダプタ部品の前記導電ピンユニットは少なくとも２本のピンを有することを特徴とする、請求項１に記載の電源供給器。
【請求項６】
前記導電ソケットは、中空管状を呈する載置舌状管と、前記載置舌状管の二つの外側に位置する一対の導電接点とを有することを特徴とする、請求項１に記載の電源供給器。
【請求項７】
前記出力プラグは、プラグの舌片と、前記プラグの舌片の両側に位置する一対のプラグ接点とを有し、前記出力プラグが前記導電ソケットに挿着される場合、前記プラグの舌片が前記載置舌状管に挿着されることを特徴とする、請求項６に記載の電源供給器。
【請求項８】
交換可能なアダプタ部品を有する電源コンバータであって、
係止台座が突出するように形成される係止側壁と、ソケット孔が形成され、前記係止側壁と略垂直となると共に共同で窪み形状の収容部を形成するソケット側壁と、を有するケースと、
前記ソケット孔内に設けられる導電ソケットと、
給電ソケットと、
前記ケース内に設けられるとともに、前記導電ソケット及び前記給電ソケットに接続されることにより、変換電源を前記給電ソケットに出力する電源変換回路とを備え、
前記アダプタ部品が前記収容部に交換可能に設けられることを特徴とする、電源コンバータ。
【考案の詳細な説明】
【技術分野】
【０００１】
本考案は、電源供給器及び交換可能なアダプタ部品を有する電源コンバータに関し、特に、電源コンバータ及び交換可能型のアダプタ部品を有する、商用電源の電圧を別の電圧に変換できる電源供給器に関する。
【背景技術】
【０００２】
携帯型電子装置の普及により、例えば携帯電話、タブレットＰＣ、ノートパソコン等は、変圧機能を有する電源供給器についての要求が高まってきている。電源供給器には、通常１種の固定したプラグしか配設され得ないが、異なる国又は異なる地域において異なる電気安全基準を有するので、用いられるソケットはそれぞれ異なっている。例えば、中国ＣＣＣ規格、米国ＵＬ規格、英国ＵＫ規格等があり、これらの規格に規定されるプラグとソケットは、何れも互いに交換して用いることができない。
【０００３】
現在の固定型電源プラグは明らかに各国の異なる標準規格の要求に適合できず、電気器具製品を国際化することができない。ある電源供給器は、さらに固定したプラグに変換プラグを付けて異なる電源ソケットに適合するが、体積のみならず製造コストも増加した。
【考案の概要】
【考案が解決しようとする課題】
【０００４】
本考案の主な目的は、電源供給器及び交換可能なアダプタ部品を有する電源コンバータを提供することである。電源供給器は電源コンバータとアダプタ部品とを有し、アダプタ部品が電源コンバータに交換可能に挿着され、各種の異なる電気器具の安全基準に適合し、異なるソケットに対応し異なるアダプタ部品に合わせる。
【課題を解決するための手段】
【０００５】
上述した目的を達成するために、本考案の一つの実施例は、電源コンバータとアダプタ部品とを備える電源供給器を提供する。前記電源コンバータはケースと、導電ソケットと、給電ソケットと、電源変換回路とを有する。前記ケースは、係止側壁とソケット側壁とを有し、前記ソケット側壁が前記係止側壁と略垂直となり窪み形状の収容部を共同で形成し、前記係止側壁に係止台座が突出し、前記ソケット側壁にソケット孔が形成され、前記導電ソケットが前記ソケット孔内に設けられる。前記電源変換回路は、前記ケース内に設けられるとともに、前記導電ソケット及び前記給電ソケットに接続されることにより、変換電源を前記給電ソケットに出力する。なお、前記アダプタ部品は前記収容部に交換可能に設けられ、電源に接続される導電ピンユニットを有する上カバーと、一方側に係止溝が形成されており、他方側に出力プラグが設けられている下カバーとを備え、前記導電ピンユニットが前記出力プラグに電気的に接続される。前記電源コンバータの前記係止台座が前記係止溝に係止され、前記出力プラグが前記電源コンバータの前記導電ソケットに挿設される。
【０００６】
上記技術問題を解決するために、本考案は、交換可能なアダプタ部品を有する電源コンバータをさらに提供する。前記電源コンバータは、ケースと、導電ソケットと、給電ソケットと、電源変換回路とを備える。前記ケースは、係止側壁とソケット側壁とを有し、前記ソケット側壁が前記係止側壁と略垂直となり窪み形状の収容部を共同で形成し、前記係止側壁に係止台座が突出し、前記ソケット側壁にソケット孔が形成され、前記導電ソケットが前記ソケット孔内に設けられる。前記電源変換回路は、前記ケース内に設けられるとともに、前記導電ソケット及び前記給電ソケットに接続されることにより、変換電源を前記給電ソケットに出力する。なかでも、前記アダプタ部品が前記収容部に交換可能に設けられる。
【考案の効果】
【０００７】
本考案の効果は、本考案に係る実施例が提供するアダプタ部品が電源コンバータに交換可能に挿着され、各種の異なる電気器具の安全基準に適合し、異なるソケットに対応し異なるアダプタ部品に合わせることができることであり得る。これにより、電気器具製品を国際化し、製造コストを削減することができる。
【図面の簡単な説明】
【０００８】
本考案の特徴及び技術内容がより一層分かるように、以下本考案に関する詳細な説明と添付図面を参照するが、添付される図面は参考と説明のために提供するものに過ぎず、本考案を制限するためのものではない。
【０００９】
【図１】本考案の電源供給器の分解斜視図である。
【図２】本考案の電源供給器の別の分解斜視図である。
【図３】本考案の電源供給器の側面分解図である。
【図４】本考案の電源供給器の正面分解図である。
【図５】本考案の電源供給器の組立図である。
【考案を実施するための形態】
【００１０】
図１及び図２を参照する。図１及び図２は本考案の電源供給器の異なる角度の分解斜視図である。本考案の電源供給器１００は、電源コンバータ１とアダプタ部品２とを備える。本実施例のアダプタ部品２は交換可能型であり、アダプタ部品２がプラガブルに電源コンバータ１に挿着され、異なる規格のアダプタ部品２が入れ替えられるようにする。
【００１１】
電源コンバータ１は、ケース１１と、導電ソケット１２と、給電ソケット１４と、電源変換回路１６とを有する。ケース１１のコーナーに係止側壁１１１とソケット側壁１１２とを有し、ソケット側壁１１２が係止側壁１１１と略垂直となり窪み形状の収容部１１０を共同で形成する。係止側壁１１１に係止台座１３が突出し、ソケット側壁１１２にソケット孔１１２０が形成され、導電ソケット１２が前記ソケット孔１１２０に設けられる。電源変換回路１６は、ケース１１内に設けられるとともに、導電ソケット１２及び給電ソケット１４に接続されることにより、変換電源を給電ソケット１４に出力する。
【００１２】
本実施例のアダプタ部品２が電源コンバータ１の収容部１１０に交換可能に設けられる。アダプタ部品２は、上カバー２１ａと下カバー２１ｂとを有する部品のカバー本体２１を備える。上カバー２１ａは電源に接続されるための導電ピンユニット２４を有する。アダプタ部品２の導電ピンユニット２４は少なくとも２本のピンを有する。図１に示すように、本実施例は異なる国のソケット規格に合わせて、異なる導電ピンユニット２４’を有する異なるアダプタ部品２’に置き換えることができる。例えば二つの扁平型ピンを有する米国ＵＬ規格プラグ、三角形状に配置されるピンを有する英国ＵＫ規格プラグ、二つの円柱形ピンを有する独国ＧＳ規格プラグ、又は中国のＣＣＣ規格プラグ等がある。
【００１３】
アダプタ部品２の下カバー２１ｂは一方側に係止溝２３が形成されており、他方側に出力プラグ２２が設けられている。導電ピンユニット２４が出力プラグ２２に電気的に接続される。アダプタ部品２が前記電源コンバータ１に挿着される場合、電源コンバータ１の係止台座１３がアダプタ部品２の係止溝２３に係止される。アダプタ部品２の出力プラグ２２が電源コンバータ１の導電ソケット１２に挿設される。
【００１４】
本実施例のアダプタ部品２と電源コンバータ１の係合方式は以下のように例を挙げて説明する。係止台座１３は正面から見ると、略Ｔ字形となり、係止基部１３１と係止頂部１３２とを有し、係止基部１３１が係止側壁１１１に形成されるとともにソケット側壁１１２に延伸し、係止頂部１３２が係止基部１３１の頂部に形成され、その幅が係止基部１３１の幅よりも大きい。
【００１５】
係止溝２３は外溝２３１と内溝２３２とを有し、外溝２３１が下カバー２１ｂの側面から内へ窪み、内溝２３２が外溝２３１の内側に位置し、前記係止基部１３１が外溝２３１に係入され、係止頂部１３２が内溝２３２に係入される。
【００１６】
なお、本実施例の係止台座１３の長さが出力プラグ２２の長さよりも大きく、係止台座１３が係止溝２３に係入される過程において、出力プラグ２２に協力し導電ソケット１２にアライメントさせ、導電ソケット１２に挿着するように前記出力プラグ２２をガイドする。
【００１７】
本実施例の導電ソケット１２は載置舌状管１２０と、一対の導電接点１２２とを有し、前記一対の導電接点１２２が載置舌状管１２０の二つの外側に位置し、載置舌状管１２０が中空管状を呈する。出力プラグ２２はプラグの舌片２２０と、一対のプラグ接点２２２とを有し、前記一対のプラグ接点２２２がプラグの舌片２２０の両側に位置する。出力プラグ２２が導電ソケット１２に挿着される場合、プラグの舌片２２０が載置舌状管１２０に挿着される。前記一対のプラグ接点２２２がそれぞれ前記一対の導電接点１２２に案内接続される。
【００１８】
以上をまとめると、本考案の効果は、本考案に係る実施例が提供する電源供給器では、アダプタ部品が電源コンバータに交換可能に挿着され、各種の異なる電気器具の安全基準に適合し、異なるソケットに対応し異なるアダプタ部品に合わせることができることであり得る。これにより、電気器具製品を国際化し、製造コストを削減することができる。
【００１９】
上述したのは本考案の好ましい実施可能な実施例に過ぎず、これにより本考案の特許請求の範囲を限定するためのものではないので、本考案の明細書及び図面の内容に基づき為された等価の技術変形は、全て本考案の保護範囲に含まれるものとする。
【符号の説明】
【００２０】
１００    電源供給器
１    電源コンバータ
１１    ケース
１１０    収容部
１１１    係止側壁
１１２    ソケット側壁
１１２０    ソケット孔
１２    導電ソケット
１２０    載置舌状管
１２２    導電接点
１３    係止台座
１３１    係止基部
１３２    係止頂部
１４    給電ソケット
１６    電源変換回路
２、２’    アダプタ部品
２１    部品のカバー本体
２１ａ    上カバー
２１ｂ    下カバー
２２    出力プラグ
２２０    プラグの舌片
２２２    プラグ接点
２３    係止溝
２３１    外溝
２３２    内溝
２４、２４’    導電ピンユニット
【図１】
0003215377.tif 000003
【図２】
0003215377.tif 000004
【図３】
0003215377.tif 000005
【図４】
0003215377.tif 000006
【図５】
0003215377.tif 000007